(57)【要約】  【課題】画角を小さく保ちつつ小型化を図ることが可能な画像読取装置及びこれを用いた画像形成装置を提供する。  【解決手段】原稿が載置される載置部材２３と、載置部材２３上に載置された原稿に光を照射する光源１と、原稿からの反射光を受光して電気信号に変換する光電変換素子３と、反射光を光電変換素子３に導く光路１６を構成する第１ミラー４及び第２ミラー６及び第３ミラー７と、光源１及び第１ミラー４を支持する走行自在な第１走行体５と、第２ミラー６及び第３ミラー７を支持する走行可能な第２走行体８と、各走行体５，８を駆動する駆動軸９と、駆動軸９から各走行体５，８へ駆動力を伝達する駆動力伝達手段１４とを有する画像読取装置１９において、装置幅方向において駆動軸９を第２走行体８と光電変換素子３との間の位置に配置した。【選択図】図３
2014126594.tif 000002
【特許請求の範囲】
【請求項１】
原稿が載置される少なくとも一部が透明な載置部材と、前記載置部材上に載置された原稿に光を照射する光源と、前記原稿からの反射光を受光して電気信号に変換する光電変換素子と、前記反射光を前記光電変換素子に導く光路を構成する第１ミラー及び第２ミラー及び第３ミラーと、前記光源及び第１ミラーを支持する走行自在な第１走行体と、第２ミラー及び第３ミラーを支持する走行可能な第２走行体と、前記各走行体を駆動する駆動軸と、前記駆動軸から前記各走行体へ駆動力を伝達する駆動力伝達手段とを有する画像読取装置において、
装置幅方向において前記駆動軸が第２走行体と前記光電変換素子との間の位置に配置されていることを特徴とする画像読取装置。
【請求項２】
請求項１記載の画像読取装置において、
装置高さ方向において前記駆動軸が第２ミラーと第３ミラーとの間の位置に配置されていることを特徴とする画像読取装置。
【請求項３】
請求項１または２記載の画像読取装置において、
第２走行体を走行可能に支持する部材と前記駆動軸が支持されている部材とが同一であることを特徴とする画像読取装置。
【請求項４】
請求項１ないし３の何れか１つに記載の画像読取装置において、
第１走行体を走行可能に支持する部材と前記駆動軸が支持されている部材とが同一であることを特徴とする画像読取装置。
【請求項５】
画像形成を行う画像形成部を備え、請求項１ないし４の何れか１つに記載の画像読取装置を有することを特徴とする画像形成装置。
【発明の詳細な説明】
【技術分野】
【０００１】
本発明は複写機やプリンタ等の画像形成装置に関し、詳しくは原稿面を光走査して読み取る画像読取装置及びこれを備えた画像形成装置に関する。
【背景技術】
【０００２】
従来、原稿面を光走査して読み取る画像読取装置を装置本体上部に配置した画像形成装置が知られている。このような画像形成装置において、一般的に装置本体の下部には各種サイズの用紙トレイが複数段積み重ねられた状態で収納されており、装置本体上部には排紙トレイが配置されている。排紙トレイの上方には、排紙トレイ上のシートを取り出すための空間が必要であり、画像形成装置の装置本体は必然的に高さが高くなり、その上方に配置される画像読取装置はかなり高い位置に配置されていた。
【０００３】
また、画像読取装置の上部には自動原稿送り装置（ＡＤＦ）が併用される場合が多く、操作性改善の面からもこのような多機能型画像形成装置における高さ方向のサイズを極力小さくすることが従来の画像形成装置における大きな課題であった。また、画像形成装置の幅方向サイズが画像読取装置によって決定される場合もある。そこで、画像読取装置の高さと幅を小さくすべく、高さ方向において駆動軸を第２ミラーと第３ミラーとの間に配置し、幅方向において光電変換手段の後側に駆動軸を配置する構成が、例えば「特許文献１」に開示されている。
【発明の概要】
【発明が解決しようとする課題】
【０００４】
上述の技術では、画像読取装置の高さ及び幅を小さくすることはできるが、画角が狭くなってしまい画像読取装置を小型化しつつ画角を小さく保つことができないという問題点がある。
【０００５】
本発明は上述の問題点を解決し、画角を小さく保ちつつ小型化を図ることが可能な画像読取装置及びこれを用いた画像形成装置の提供を目的とする。
【課題を解決するための手段】
【０００６】
請求項１記載の発明は、原稿が載置される少なくとも一部が透明な載置部材と、前記載置部材上に載置された原稿に光を照射する光源と、前記原稿からの反射光を受光して電気信号に変換する光電変換素子と、前記反射光を前記光電変換素子に導く光路を構成する第１ミラー及び第２ミラー及び第３ミラーと、前記光源及び第１ミラーを支持する走行自在な第１走行体と、第２ミラー及び第３ミラーを支持する走行可能な第２走行体と、前記各走行体を駆動する駆動軸と、前記駆動軸から前記各走行体へ駆動力を伝達する駆動力伝達手段とを有する画像読取装置において、装置幅方向において前記駆動軸が第２走行体と前記光電変換素子との間の位置に配置されていることを特徴とする。
【発明の効果】
【０００７】
本発明によれば、第２走行体と光電変換素子との間に駆動軸を配置することによりレンズの画角を小さく保つことができる。
【図面の簡単な説明】
【０００８】
【図１】本発明の一実施形態を適用可能な画像形成装置の概略図である。
【図２】本発明の一実施形態を適用可能な画像読取装置の概略図である。
【図３】本発明の一実施形態に用いられる画像読取装置の正面断面図である。
【図４】本発明の一実施形態に用いられる画像読取装置の側断面図である。
【図５】本発明の一実施形態に用いられる画像読取装置の内部平面図である。
【発明を実施するための形態】
【０００９】
図１は、本発明の一実施形態を採用した画像形成装置としての複写機を示している。同図において複写機１７は、その装置本体１８の内部に図示しない感光体、帯電装置、現像装置、転写装置等の周知の構成を備えた図示しない画像形成部を備えている。また装置本体１８の内部には、図示しない給紙トレイ、給紙ローラ、給紙路等を備えた図示しない給紙装置が設けられており、その外部には図示しない給紙トレイが設けられている。給紙装置から給送された用紙は画像形成部においてその片面または両面に画像を形成された後、排紙トレイ２１上に排出される。
【００１０】
装置本体１８の上部には、画像形成される原稿の画像を読み取る画像読取装置としての画像読取部１９が配設されており、その上方には自動原稿搬送装置（ＡＤＦ）２０が配設されている。画像読取部１９に直接載置された原稿または自動原稿搬送装置２０にセットされた原稿は画像読取部においてその画像情報を読み取られ、読み取られた画像情報に基づいて図示しない画像形成部において画像形成が行われる。
【００１１】
図２は、本発明の特徴部である画像読取部１９を示している。画像読取部１９はスキャナカバー２２、原稿を載置する載置部材であるフラットベッド読取面コンタクトガラス２３、ドキュメントフィーダ読取面コンタクトガラス２４、スキャナフレーム２５等によって構成されている。
【００１２】
図３は画像読取部１９の横断面図を、図４は同縦断面図を、図５は同平面図をそれぞれ示している。この画像読取部１９は、読み取る原稿に対して光源より光を照射し、原稿によって反射された反射光をＣＣＤやＣＭＯＳ等からなる光電変換素子としての撮像素子３によって読み取っている。
【００１３】
画像読取部１９は光源１を備えており、光源１からの照射光をフラットベッド読取面コンタクトガラス２３上に載置された原稿あるいはドキュメントフィーダ読取面コンタクトガラス２４上を搬送される原稿に照射する。原稿からの拡散反射光はレンズ２を介して撮像素子３に導かれ、撮像素子３において画像情報が電気信号に変換される。一般的な縮小光学系の画像読取部１９は、原稿からの反射光を偏向する第１ミラー４と光源１とを支持する第１走行体５、第１ミラー４からの光をさらに偏向する第２ミラー６及び第３ミラー７を支持する第２走行体８を有している。
【００１４】
第１走行体５及び第２走行体８は、スキャナフレーム２５と一体的に形成されたレール１０ａ，１０ｂ上を走行することによって原稿を読み取る。各走行体５，８を走行させる駆動力はモータ１２からベルト１３によって駆動軸９に伝達され、駆動軸９が回転することにより駆動力伝達手段であるワイヤ１４ａ，１４ｂを介して各走行体５，８に伝達される。
【００１５】
本発明の構成では、図３に示すように、画像読取部１９の幅方向において第２走行体８とレンズ２（撮像素子３）との間の位置に駆動軸９が配置されている。従来の技術では、図３において撮像素子３の右側に駆動軸９を配置する構成が知られているが、この構成では図３に示す構成に比して光路長が短くなってしまい、画角が狭くなってしまうという問題点が生じる。図３に示す本発明の構成では、第２走行体８とレンズ２（撮像素子３）との間に駆動軸９を配置することによりレンズの画角を小さく保ちつつ小型化を図ることができる。また、図３に示す本発明の構成では、画像読取部１９の高さ方向において第２ミラー６と第３ミラー７との間の位置に駆動軸９が配置されている。この構成により画像読取部１９の高さを低く抑えることができる。
【００１６】
また図４及び図５に示すように、本発明の構成では各走行体５，８を走行可能に支持するレール１０ａ，１０ｂが、駆動軸９を回転自在に支持している板部材１５ａ，１５ｂによって形成されている。すなわち各走行体５，８の高さが決定するレール面と駆動軸９とが同一の板部材１５ａ，１５ｂによって位置決めされている。この構成により、駆動軸９を第１ミラー４及び第２ミラー６及び第３ミラー７で形成される光路１６に対して精度よく配置することができる。
【００１７】
上記実施形態では画像形成装置として複写機を示したが、本発明が適用可能な画像形成装置はこれに限られず、プリンタ、プロッタ、ファクシミリ、これ等の複合機等の画像形成装置にも本発明は適用可能である。
【符号の説明】
【００１８】
１  光源
３  光電変換素子（撮像素子）
４  第１ミラー
５  第１走行体
６  第２ミラー
７  第３ミラー
８  第２走行体
９  駆動軸
１４  駆動力伝達手段（ワイヤ）
１５ａ，１５ｂ  部材（板部材）
１６  光路
１７  画像形成装置（複写機）
１９  画像読取装置（画像読取部）
２３  載置部材（フラットベッド読取面コンタクトガラス）
【先行技術文献】
【特許文献】
【００１９】
【特許文献１】特許第３７０１５２７号公報
【図１】
2014126594.tif 000003
【図２】
2014126594.tif 000004
【図３】
2014126594.tif 000005
【図４】
2014126594.tif 000006
【図５】
2014126594.tif 000007